(57)【特許請求の範囲】
【請求項１】
引戸の戸先の上部に配設した当接部材と、該当接部材が当接する弾性体を備えた固定部材とからなる戸当たりにおいて、前記固定部材を、対向する立設面と、該立設面を連結する底面とを備えて構成し、前記立設面に開口部を形成し、前記開口部から突出する突出部と立設面の内側に当接する当接部とを形成した弾性体を固定部材に配置したことを特徴とする戸当たり。
【請求項２】
前記弾性体の当接部を、前記固定部材の側面開口から突出するようにしたことを特徴とする請求項１記載の戸当たり。
【発明の詳細な説明】
【技術分野】
【０００１】
本発明は、戸当たりに関し、特に、引戸を任意の位置で停止させるための戸当たりの改良に関するものである。
【背景技術】
【０００２】
従来、複数の引戸が、１本のレールを移動する場合、引戸の移動範囲を制限するために、レールの上面にストッパを配設し、引戸の上面に回動自在に配設する戸車が、前記ストッパに当接して引戸を任意の位置で停止させる戸当たりが用いられている（例えば、特許文献１参照）。
【０００３】
しかし、引戸の上面に配設した戸車をストッパに当接させるようにすると、戸車を配設する位置が引戸の上面端部に制限される。また、戸車を引戸の下面に配設し、床面に敷設したレールを移動する引戸の場合には、戸車をストッパに当接させることができない。
そのため、図８〜図９に示すように、引戸４の戸先の上部に配設した当接部材４１と、該当接部材４１が当接する弾性体４３を備えた固定部材４２とによって引戸４を任意の位置で停止させる戸当たり４０が汎用されている。
【０００４】
この戸当たり４０は、固定部材４２を、対向する立設面４２ａ、４２ａと、該立設面４２ａを連結する底面４２ｂと、立設面４２ａの上端部をＬ字状に延設した取付面４２ｃとから構成し、引戸４の上部をガイドする引戸枠部材２の上枠２ａに、取付面４２ｃに開口した孔を介してネジ等の締結部材で固定し、立設面４２ａの外側表面に板状の弾性体４３を両面粘着テープや接着剤によって貼着し、引戸４に配設した当接部材４１が固定部材４２に当接する際の衝撃を緩和するようにしている。
【０００５】
【特許文献１】特開平８−２３２５３５号公報
【発明の開示】
【発明が解決しようとする課題】
【０００６】
ところで、この戸当たり４０は、引戸４の下面に配設した戸車の経年使用による摩耗や、引戸枠部材２の据え付け誤差等によって、引戸４に配設した当接部材４１が、固定部材４２の立設面４２ａに貼着した弾性体４３の下側部に当接する場合がある。
この場合、当接部材４１が固定部材４２に当接する際の衝撃によって弾性体４３が脱落しやすくなるという問題があった。
【０００７】
本発明は、上記従来の戸当たりの有する問題点に鑑み、当接部材と固定部材に取り付けた弾性体との当接個所に拘わらず、弾性体が脱落することのない戸当たりを提供することを目的とする。
【課題を解決するための手段】
【０００８】
上記目的を達成するため、本第１発明の戸当たりは、引戸の戸先の上部に配設した当接部材と、該当接部材が当接する弾性体を備えた固定部材とからなる戸当たりにおいて、前記固定部材を、対向する立設面と、該立設面を連結する底面とを備えて構成し、前記立設面に開口部を形成し、前記開口部から突出する突出部と立設面の内側に当接する当接部とを形成した弾性体を固定部材に配置したことを特徴とする。
【０００９】
この場合において、前記弾性体の当接部を、前記固定部材の側面開口から突出することができる。
【００１０】
【００１１】
【発明の効果】
【００１２】
本発明の戸当たりによれば、固定部材を、対向する立設面と、該立設面を連結する底面とを備えて構成し、前記立設面に開口部を形成し、前記開口部から突出する突出部と立設面の内側に当接する当接部とを形成した弾性体を固定部材に配置するようにしたから、弾性体の当接部や底面が固定部材の立設面や底面で覆われ、かつ、弾性体の突出部の縁が固定部材の縁に係止された状態で弾性体が固定部材に保持されることになる。
よって、当接部材が固定部材に配置した弾性体の下側部に当接しても、弾性体が固定部材から脱落することのない戸当たりを提供することができる。
【００１３】
この場合、弾性体の当接部を、前記固定部材の側面開口から突出するようにしたときは、弾性体の突出部の端面だけでなく、当接部の端面でも引戸の当接部材を当接させることができ、引戸をＴ字状や十字状に敷設したレールに沿って移動させることのある間仕切りの戸当たりとして利用することができる。
【００１４】
【００１５】
【発明を実施するための最良の形態】
【００１６】
以下、本発明の戸当たりの実施の形態を、図面に基づいて説明する。
【実施例１】
【００１７】
図１〜図４に、本発明の戸当たりの第１実施例を示す。
この戸当たり１０は、引戸４の戸先の上部に配設した当接部材１１と、該当接部材１１が当接する弾性体１３を備えた固定部材１２とからなり、前記固定部材１２を、対向する立設面１２ａ、１２ａと、該立設面１２ａを連結する底面１２ｂと、立設面１２ａの上端部をＬ字状に延設した取付面１２ｃとから構成し、前記立設面１２ａに開口部Ｃを形成し、前記開口部Ｃから突出する突出部１３ａと立設面１２ａの内側に当接する当接部１３ｂとを形成した弾性体１３を固定部材１２に配置するようにしている。
【００１８】
弾性体１３は、固定部材１２の立設面１２ａに開口した開口部Ｃから突出する突出部１３ａ、１３ａと、立設面１２ａの内側に当接する当接部１３ｂ、１３ｂとを有する平面視十字形状の弾性材料から構成する。
弾性材料の種類は、特に限定されるものではないが、天然ゴムや合成ゴム（ニトリルゴム、クロロプレンゴム、スチレンブタジエンゴム、ウレタンゴム、シリコンゴム等）を好適に用いることができる。
【００１９】
そして、図２（ａ）に示すように、当接部１３ｂの幅寸法Ｗｂを立設面１２ａ、１２ａ間の距離寸法Ｗと略同一寸法とし、固定部材１２へ配置する際は、突出部１３ａの一方を開口部Ｃに対して斜めから挿入し、他方の突出部１３ａは一方の突出部１３ａに向かって押圧しながら他方の開口部Ｃに挿入し、突出部１３ａの端面を立設面１２ａよりも外側に突出させ、当接部材１１の当接面とする。
また、固定部材１２の開口部Ｃを、図２（ａ）に示す破線部のように、取付面１２ｃの側へ切り欠くことによって、弾性体１３を押圧することなく固定部材１２に載置するだけで取り付けることができる。
【００２０】
また、図２（ｂ）に示すように、当接部１３ｂ、１３ｂの端面間の寸法Ｌｂを、固定部材１２の取付面１２ｃの長手寸法Ｌよりも大きくすることによって、固定部材１２の側面開口１２ｄ、１２ｄから当接部１３ｂ、１３ｂの端面を突出させることができる。
この場合、引戸用のレールや上枠を十字に交差して配設した交点や、Ｔ字状に配設したレールや上枠の交点に配設することによって、Ａ１、Ａ２の２方向以外にＢ１、Ｂ２方向を含めた最大４方向の戸当たりとして機能させることができる。
【００２１】
そして、固定部材１２に弾性体１３を配置した後に、従来例と同様、引戸枠部材２の上枠２ａに、取付面１２ｃに開口した孔を介してネジ等の締結部材で固定するようにしている。
また、図３（ａ）に示すように、弾性体１３の中央付近に開口部１３ｃを設け、該開口部１３ｃに位置決筒１５を配置するとともに、固定部材１２の底面１２ｂからネジ等の締結手段１６を用いて固定するときは、固定部材１２に取付面１２ｃを形成する必要がない。
【００２２】
また、図３（ｂ）に示すように、弾性体１３の突出部１３ａ及び当接部１３ｂの幅寸法Ｗａ、Ｗｂ及び突出寸法Ｈａ、ＨｂをそれぞれＷａ＝Ｗｂ、Ｈａ＝Ｈｂとすることによって、１方向又は２方向から引戸４が当接する戸当たりとして使用する場合、経年変化によって摩耗した突出部１３ａを、弾性体１３を９０度回転して配置し直すことによって、当接部１３ｂが突出部１３ａとなって再度利用することができる。
【００２３】
当接部材１１は、従来例と同様に、引戸４の戸先の上部に配設するもので、パッキンＰを戸先に配設するための引戸４の縦部材４ａの上部に、ネジ等の締結部材で固定するようにしている。
【００２４】
上記構成において、例えば、図４に示すように、引戸枠部材２の縦枠２ｂ、２ｂ間の距離がＬとなる引戸枠部材２内に、８枚の引戸４を配設した引分戸１に本発明の戸当たり１０を配設する例を説明する。
【００２５】
この引分戸１は、床面に敷設した４本のレール３ａ〜３ｄ上に引戸４Ｒ１〜４Ｒ４及び引戸４Ｌ１〜４Ｌ４を左右対称となるように配置している。
そして、上枠２ａの中央で、引戸４Ｒ１及び引戸４Ｌ１の当接部材１１が当接する位置に戸当たり１０ａを配設し、引戸４Ｒ１及び引戸４Ｌ１は、それぞれ左右の縦枠２ｂからＬ／２以上の移動を規制される。
引戸４Ｒ２及び引戸４Ｌ２の当接部材１１は、それぞれ左右の縦枠２ｂからＬ×３／８の位置に配設した戸当たり１０ｂ、１０ｂに当接し、それ以上の移動を規制され、また、引戸４Ｒ３及び引戸４Ｌ３の当接部材１１は、それぞれ左右の縦枠２ｂからＬ×１／４の位置に配設した戸当たり１０ｃ、１０ｃに当接し、それ以上の移動を規制されるようにしている。
このとき、各戸当たり１０ａ〜１０ｃの固定部材１２に配置した弾性体１３は、引戸４の上面に配設した当接部材１１の衝撃によって脱落することがない。
【００２６】
なお、本実施例においては、床面に敷設したレール３ａ〜３ｄ上に引戸４の下面に配設した戸車を載置して引戸４を移動させる例で説明したが、レールを上枠２ａ内に配設した上吊り式の引戸であっても構わない。
〔参考例１〕
【００２７】
図５〜図６に、戸当たりの第１参考例を示す。
この戸当たり１０は、引戸４の戸先の上部に配設した当接部材１１と該当接部材１１が当接する弾性体１４を備えた固定部材１２とからなり、固定部材１２を、対向する立設面１２ａ、１２ａと、該立設面１２ａを連結する底面１２ｂとを備えて構成し、前記立設面１２ａを挿入する挿入口１４ａを有する弾性体１４を固定部材１２に配置するようにしている。
これにより、固定部材１２の立設面１２ａに開口部を形成する必要がなく、コ字状の曲げ部材の立設面１２ａに弾性体１４を嵌挿して、引戸枠部材２の上枠２ａに固定することによって、弾性体１４が固定部材１２から脱落することがない。
【００２８】
弾性体１４に開口する挿入口１４ａは、図６（ｂ）に示すように、固定部材１２の立設面１２ａが挿入される程度の大きさに開口するほか、図６（ｃ）に示すように、弾性体１４の硬度よりも低い硬度の弾性体からなる弾性シム１４ｂを当接部材１１が当接する側に挿入することができる大きさとすることもできる。
弾性シム１４ｂを配設することによって、引戸４の当接部材１１が弾性体１４に衝突する際の衝撃をさらに緩和することができる。
【００２９】
固定部材１２は、実施例１と同様に、立設面１２ａの上端部をＬ字状に延設した取付面１２ｃを形成し、上枠２ａに、取付面１２ｃに開口した孔を介してネジ等の締結部材で固定するほか、図５に示すように、底面１２ｂに開口した孔の上に位置決筒１５を配設し、底面１２ｂから位置決筒１５を介して、ネジ等の締結手段１６を用いて固定することもでき、固定部材１２に取付面１２ｃを形成しないことによって、弾性体１４を簡単に取り付けることができる。
【００３０】
なお、本参考例のその他の構成及び作用は、上記第１実施例と同様である。
〔参考例２〕
【００３１】
図７に、戸当たりの第２参考例を示す。
この戸当たり１０は、引戸の戸先の上部に配設した当接部材１１と、該当接部材１１が当接する固定部材１２とからなり、前記固定部材１２を、対向する立設面１２ａ、１２ａを備えて構成し、前記当接部材１１を、引戸４に備えられた断面略Ｃ字状の溝部１８を有する縦部材４ａの前記溝部１８に嵌入する弾性部材１７で構成するようにしている。
【００３２】
当接部材１１となる弾性部材１７は、縦部材４ａの溝部１８に嵌入される取付部１７ｂと、上枠２ａに固定した固定部材１２の立設面１２ａに当接する当接部１７ａとを主要構成部分とし、当接部１７ａと取付部１７ｂとを、縦部材４ａの鍔部１８ａ、１８ａが嵌入するスリット部１７ｃを形成するように連結部１７ｄで連結している。
弾性部材１７は、当接部１７ａ、取付部１７ｂ及び連結部１７ｄを別体で構成し、貼り合わせるようにしても構わないが、一体構造であっても構わない。
【００３３】
そして、図７（ｄ）に示すように、弾性部材１７を縦部材４ａの溝部１８に嵌入した後、取付孔１７ｅを介して、ネジ等の締結手段を用いて引戸４に固定する。
【００３４】
上枠２ａに固定する固定部材１２は、従来例と同様、対向する立設面１２ａ、１２ａと、該立設面１２ａを連結する底面１２ｂと、立設面１２ａの上端部をＬ字状に延設した取付面１２ｃとから構成し、引戸４の上部をガイドする引戸枠部材２の上枠２ａに、取付面１２ｃに開口した孔を介してネジ等の締結部材で固定するようにしている。
【００３５】
これによって、従来の引戸の当接部材と弾性部材１７とを交換することによって、当接部材が弾性体の役割を果たし、かつ、弾性部材１７は、引戸に固定されているから当接部材と固定部材との衝突によって弾性体が脱落することはない。
また、通常、引戸４の戸先と縦枠２ｂ又は引戸４の戸先同士の衝突時の衝撃を緩和するためのパッキンＰを配設するための引戸４の縦部材４ａを利用して、固定部材１２に当接する弾性部材１７からなる当接部材１１を配設することができるとともに、戸先に配設するパッキンＰの上側への位置ずれや抜け止め用の部材としても機能する。
【００３６】
なお、本参考例のその他の構成及び作用は、上記第１実施例と同様である。
【００３７】
以上、本発明の戸当たりについて、実施例に基づいて説明したが、本発明は上記実施例に記載した構成に限定されるものではなく、実施例に記載した構成、例えば、実施例１、参考例１の弾性体を配置した固定部材と、参考例２の当接部材とを組み合わせる等、その趣旨を逸脱しない範囲において適宜その構成を変更することができるものである。
【産業上の利用可能性】
【００３８】
本発明の戸当たりは、戸当たりの緩衝部材となる弾性体が、当接部材と固定部材との衝突によって脱落することがないという特性を有していることから、引戸を任意の位置で停止させる必要がある引戸装置に好適に用いることができる。
【図面の簡単な説明】
【００３９】
【図１】本発明の戸当たりの第１実施例を示し、（ａ）は正面図、（ｂ）は（ａ）のＸ１−Ｘ１断面図である。
【図２】同戸当たりに使用する固定部材と弾性体の斜視図を示し、（ａ）は弾性体を配置する前を、（ｂ）は弾性体を配置した状態を示す。
【図３】（ａ）は弾性体と固定部材の別の実施例を、（ｂ）は弾性体の別の実施例を示す斜視図である。
【図４】８枚の引戸を配設した引分戸に戸当たりを配設する例を示し、（ａ）は正面図、（ｂ）は平面図である。
【図５】戸当たりの第１参考例に使用する固定部材と弾性体の斜視図を示し調整機構の別の例を示す。
【図６】同戸当たりを示し、（ａ）は正面図、（ｂ）は（ａ）のＸ２−Ｘ２断面図、（ｃ）は弾性シムを配設した断面図である。
【図７】戸当たりの第２参考例を示し、（ａ）は一部切り欠きの正面図、（ｂ）は当接部材の正面図、（ｃ）は当接部材の平面図、（ｄ）は当接部材を引戸に取り付けた状態を示す斜視図である。
【図８】従来の戸当たりを使用した引戸装置の全体正面図である。
【図９】従来の戸当たりを示し、（ａ）は正面図、（ｂ）は（ａ）のＸ３−Ｘ３断面図である。
【符号の説明】
【００４０】
４      引戸
４ａ    縦部材
１０    戸当たり
１１    当接部材
１２    固定部材
１２ａ  立設面
１２ｂ  底面
１２ｃ  取付面
１２ｄ  側面開口
１３    弾性体
１３ａ  突出部
１３ｂ  当接部
１４    弾性体
１４ａ  挿入口
１７    弾性部材
１８    溝部
Ｃ      開口部
【図１】
0005016536.tif 000002
【図２】
0005016536.tif 000003
【図３】
0005016536.tif 000004
【図４】
0005016536.tif 000005
【図５】
0005016536.tif 000006
【図６】
0005016536.tif 000007
【図７】
0005016536.tif 000008
【図８】
0005016536.tif 000009
【図９】
0005016536.tif 000010